(57)【特許請求の範囲】
【請求項１】
長手方向に直交する断面がコ字状の長尺の器具本体と、器具本体の長手方向に沿った開口面を覆う形で器具本体に覆着され長手方向に直交する断面がコ字状の蓋体とを備え、器具本体の両側壁の内側には、蓋体の両側片それぞれを支持する樋状支持部が器具本体の長手方向に沿って両側壁それぞれと連続一体に設けられ、蓋体の両側片それぞれが樋状支持部に挿入され両樋状支持部を互いに近づく向きへ押圧することで器具本体の両側壁が互いに近づく向きへ付勢されてなり、各樋状支持部は、一端側が側壁の先端縁と連続し側壁に沿って形成された主片と該主片の他端側を折り返して形成された折曲片とからなり、蓋体の両側片の肉厚が樋状支持部における主片と折曲片の先端部との間の幅よりも小さく、蓋体の両側片の長手方向の中央部に内方に突出する凸部が設けられ、当該凸部が樋状支持部の折曲片に弾接してなることを特徴とする照明器具。
【発明の詳細な説明】
【技術分野】
【０００１】
本発明は、照明器具に関するものである。
【背景技術】
【０００２】
従来から、図８に示すように、天井から吊り下げられた長尺の断面コ字状の器具本体２”に直管形の蛍光ランプ５”が装着される照明器具１”が提案されている（特許文献１参照）。
【０００３】
また、他の照明器具として、図９に示す構成のものが提案されている。図９に示す構成の照明器具１’は長手方向に直交する断面がコ字状の長尺の器具本体２’を備え、器具本体２’の両側壁において器具本体２’の長手方向に離間して各一対の支持腕部３’，３’が突設され、長手方向に離間した支持腕部３’，３’における互いの対向面にランプソケット８’，８’が設けられており、対向するランプソケット８’，８’間に蛍光ランプ５’が装着される。また、器具本体２’の長手方向に離間した２つの支持腕部３’，３’間にセード４’が架設されている。ここで、器具本体２’は、長手方向に沿った開口面を有し、当該開口面を略覆うように蓋体２２’が覆着される。
【０００４】
この照明器具１’では、器具本体２’の両側壁２１ｂ’，２１ｂ’間の間隔が長手方向の中央部において長手方向の両端部に比べて広がるのを抑制するために、図９（ｂ）に示すように、器具本体２’の長手方向の中央部において、器具本体２’の内側に主片２１１ｅ’の両側縁から主片２１１ｅ’に直交する方向の下方へ側片２１２ｅ’，２１２ｅ’が両側壁２１ｂ’，２１ｂ’に沿って形成された断面コ字状の固定治具２１ｅ’が配置され、一方、両側壁２１ｂ’，２１ｂ’の内側には両側壁２１ｂ’，２１ｂ’に沿って形成された主片２１１ｃ’，２１１ｃ’の先端部を折曲して形成され、主片２１１ｃ’に直交する方向において互いに近づく方向に突出した平板状のフランジ部２１２ｃ’，２１２ｃ’を設け、固定金具２１ｅ’と両フランジ部２１２ｃ’，２１２ｃ’とが固定ねじ２１ｄ’，２１ｄ’で固定されている。
【特許文献１】特開２００４−５５３０５号公報
【発明の開示】
【発明が解決しようとする課題】
【０００５】
しかしながら、図９の構成の照明器具１’では、器具本体２’の両側壁２１ｂ’，２１ｂ’間の間隔が長手方向の中央部において長手方向の両端部に比べて広がるのを抑制するために、器具本体２’と蓋体２２’の他に、固定金具２１ｅ’や固定ねじ２１ｄ’といった別部材が必要となり、照明器具１’の部品点数を増やさざるを得なかった。
【０００６】
また、器具本体２’と蓋体２２’とをねじ締め付けで固定することにより器具本体２’の両側壁２１ｂ’，２１ｂ’間の間隔が長手方向の中央部において長手方向の両端部に比べて広がるのを抑制する場合には、少なくとも器具本体２’の長手方向の両端と中央部の３箇所をねじ締め付けにより固定する必要があり、メンテナンス等で蓋体２２’を開ける際の作業性が悪化するということがあった。
【０００７】
本願発明は、上記事由に鑑みて為されたものであり、その目的は、部品点数やねじによる締め付け点数を増やすことなく、器具本体の長手方向に沿った両側壁間の間隔が長手方向の中央部において長手方向の両端部に比べて広がるのを抑制することができる照明器具を提供することにある。
【課題を解決するための手段】
【０００８】
請求項１の発明は、長手方向に直交する断面がコ字状の長尺の器具本体と、器具本体の長手方向に沿った開口面を覆う形で器具本体に覆着され長手方向に直交する断面がコ字状の蓋体とを備え、器具本体の両側壁の内側には、蓋体の両側片それぞれを支持する樋状支持部が器具本体の長手方向に沿って両側壁それぞれと連続一体に設けられ、蓋体の両側片それぞれが樋状支持部に挿入され両樋状支持部を互いに近づく向きへ押圧することで器具本体の両側壁が互いに近づく向きへ付勢されてなり、各樋状支持部は、一端側が側壁の先端縁と連続し側壁に沿って形成された主片と該主片の他端側を折り返して形成された折曲片とからなり、蓋体の両側片の肉厚が樋状支持部における主片と折曲片の先端部との間の幅よりも小さく、蓋体の両側片の長手方向の中央部に内方に突出する凸部が設けられ、当該凸部が樋状支持部の折曲片に弾接してなることを特徴とする。
【０００９】
この発明によれば、蓋体の両側片それぞれが樋状支持部に挿入され両樋状支持部を互いに近づく向きへ押圧することで器具本体の両側壁が互いに近づく向きへ付勢されることにより、器具本体の長手方向に沿った両側壁間の間隔が長手方向の中央部において長手方向の両端部に比べて広がるのが抑制されるので、部品点数やねじによる締め付け点数を増やすことなく、器具本体の長手方向に沿った両側壁間の間隔が長手方向の中央部において長手方向の両端部に比べて広がるのを抑制することができ、照明器具の部品点数が増加しコストが上昇するのを防ぐことができる。
【００１１】
また、この発明によれば、前記蓋体の前記両側片の長手方向の中央部に前記蓋体の内側に突出する凸部が設けられ、前記蓋体が前記器具本体に覆着されたときに凸部が前記樋状支持部の内側面に弾接し、前記器具本体の両側壁の内側面に設けられた前記樋状支持部を互いに近づく方向へ押圧するので、前記器具本体の前記両側壁が互いに近づく方向に付勢され、前記器具本体の長手方向に沿った前記両側壁間の間隔が長手方向の中央部において長手方向の両端部に比べて広がるのを抑制することができる。
【発明の効果】
【００１２】
請求項１の発明によれば、部品点数やねじによる締め付け点数を増やすことなく、器具本体の長手方向に沿った両側壁間の間隔が長手方向の中央部において長手方向の両端部に比べて広がるのを抑制することができ、照明器具の部品点数の増加によるコスト上昇を防ぐことができるという効果がある。
【発明を実施するための最良の形態】
【００１３】
以下、本実施形態の照明器具１について図１乃至図７に基づいて説明する。
【００１４】
照明器具１は、図２に示すように、長手方向に直交する断面がコ字状の長尺の器具本体２を備え、器具本体２の両側壁２１ｂ，２１ｂにおいて器具本体２の長手方向に離間して各一対の支持腕部３，３が突設され、長手方向に離間した支持腕部３，３における互いの対向面にランプソケット８，８が設けられており、対向するランプソケット８，８間に蛍光ランプ５が装着される。また、器具本体２の長手方向に離間した２つの支持腕部３，３間に下方から支持腕部３，３および蛍光ランプ５を覆うセード４が架設されている。ここで、器具本体２は、長手方向に沿った開口面を有し、当該開口面を略覆うように蓋体２２が覆着される構造を有している。
【００１５】
器具本体２は、長手方向に直交する断面が上向きに開放したコ字状に形成され、器具本体２の開口面には断面コ字状の蓋体２２が覆着され、器具本体２の長手方向の両端の開口端にはエンド部材７，７が覆着される。エンド部材７は、上端縁から器具本体２の内側に延出して形成された延出部７ｂを有し（図３（ｂ）参照）、延出部７ｂには、貫通孔７ｃが貫設されている。また、エンド部材７，７の内側に、器具本体２を天井に吊り下げて支持するための連結金具２３，２３が配設されている。ここで、連結金具２３は、器具本体２の長手方向に直交する断面形状がコ字状であって、平板状の中央片２３ａと、中央片２３ａの両側縁から下方に向かって突出し器具本体２の側壁２１ｂ，２１ｂに沿って配置される脚片２３ｂ，２３ｂとを備え、脚片２３ｂ，２３ｂの先端縁から内方へ内鍔片２３ｃ，２３ｃが延設されている。また、中央片２３ａの両端には、図５（ｂ）に示すように、ねじ孔２３ｅ，２３ｆが穿設されており、脚片２３ｂ，２３ｂには、平面視矩形状の取付孔２３ｇ，２３ｇが穿設されるとともに互いに離れる向きに突出した半球状の凸部２３ｄ，２３ｄが突設されている。ここで、支持腕部３，３は、取付孔２３ｇ，２３ｇ（図３参照）から連結金具２３の内側に挿入され、先端部に貫設された貫通孔（図示せず）に挿通された締付ねじ５１を締め付けることにより互いに固定され、連結金具２３に保持される。また、エンド部材７は、連結金具２３の中央片２３ａの上方に延出部７ｂが重なるように配置され、延出部７ｂの貫通孔７ｃに挿通されたねじ（図示せず）が、ねじ孔２３ｆに螺合されて連結金具２３に固定されている。また、器具本体２は、図１に示すように側壁２１ｂ，２１ｂ両端部に設けられた矩形状の切欠部２１ｄ，２１ｄが支持腕部３，３に掛止されるとともに、一端縁が側壁２１ｂに連続して形成された主片２１１ｃ（後述）の他端縁が連結金具２３の脚片２３ｂに突設された凸部２３ｄに掛止されることにより連結金具２３に保持される。
【００１６】
また、連結金具２３の中央片２３ａには天井に吊り下げられた２本の線状の支持具２４，２４が連結されている。つまり、器具本体２の両端側に配設された２つの連結金具２３，２３はそれぞれ２本の支持具２４によって支持されており、当該２つの連結金具２３，２３によって器具本体２が支持されている。そして、器具本体２の開口面のうち連結金具２３，２３に覆われない部分は蓋体２２によって覆われている。なお、器具本体２の内部には、図２，図５（ｂ）に示すように、各蛍光ランプ５を安定に点灯させる安定器３０と商用電源（図示せず）からの配線を接続する２つの端子台３１，３１が配設されている。
【００１７】
また、支持腕部３の内部には、安定器３１と支持腕部３に配設されたランプソケット８とを電気的に接続する電線（図示せず）が収納されている。
【００１８】
また、セード４は、平面視略長方形状の板金の短幅方向の両端を折曲することにより、矩形板状の主部４ａと、主部４ａの長手方向に沿う両側縁から主部４ａと略直交する方向（図２の上方）に突出する側部４１ｂ，４２ｂを一体に備え、側部４１ｂの突出量が側部４２ｂの突出量に比べて大きくなるように形成されている。また、側部４１ｂ，４２ｂは、セード４が支持腕部３，３間に架設された状態で、側部４１ｂが側部４２ｂに比べて器具本体２に近くなるように配置されている。なお、セード４の主部４ａには蛍光ランプ５，５からの光の配光を制御するルーバからなる配光制御部４ｂ（図４参照）が設けられている。
【００１９】
また、器具本体２の長手方向に離間した一対の支持腕部３，３間には、蛍光ランプ５の側方を覆う反射板６が架設されている。
【００２０】
ところで、器具本体２は、図１に示すように、板金を折り曲げることによって形成しており、細長の矩形板状の主部２１ａと、主部２１ａの長手方向に沿う両側縁から主部２１ａと略直交する方向（図１の上方）に突出する側壁２１ｂ，２１ｂを一体に備えている。つまり、器具本体２は、長手方向の両端部が開放された断面略コ字状に形成されている。そして、器具本体２の両側壁２１ｂ，２１ｂには、図１に示すように、側壁２１ｂの長手方向に沿って樋状支持部２１ｃが設けられている。ここで、樋状支持部２１ｃは、一端側が側壁２１ｂと連続し側壁２１ｂに沿って形成された主片２１１ｃと、主片２１１ｃの他端側を折り返して形成された折曲片２１２ｃとから構成される断面Ｊ字状であり、折曲片２１２ｃは、器具本体２の側壁２１ｂの端縁に近づくほど器具本体２の側壁２１ｂから離れる方向に傾斜している。一方、蓋体２２は、図１に示すように、器具本体２と同様に、板金を折り曲げることによって形成され、矩形板状の主部２２ａと、主部２２ａの長手方向に沿う両側縁から主部２２ａと略直交する方向（図１の下方）に突出する側片２２ｂ，２２ｂを一体に備えている。そして、蓋体２２の両側片２２ｂ，２２ｂの長手方向の略中央部の内側面には、互いに近づく方向に突出した半球形状の凸部２２ｃ，２２ｃが突設されている。ここで、蓋体２２の側片２２ｂの肉厚は、樋状支持部２１ｃの主片２１１ｃと折曲片２１２ｃの先端部との間の幅Ｃよりも小さくなるように形成されている（図６（ａ）参照）。なお、蓋体２２の主部２２ａの長手方向の両端付近には貫通孔２２ｄ，２２ｄが貫設されており、器具本体２に蓋体２２が覆着された状態では、連結金具２３の上面に蓋体２２が重なるように配置されたときに、当該貫通孔２２ｄの位置と上述の連結金具２３に穿設されたねじ孔２３ｃ，２３ｃの位置とが略一致する。ここで、当該貫通孔２２ｄに挿通された締結用ねじ２２ｅが、連結金具２３に穿設されたねじ孔２３ｃに螺合して蓋体２２が連結金具２３に固定される。
【００２１】
器具本体２の開口面に蓋体２２が覆着されたときには、図７に示すように、両側壁２１ｂ，２１ｂに設けられた樋状支持部２１ｃ，２１ｃに蓋体２２の両側片２２ｂ，２２ｂが挿入され、蓋体２２の側片２２ｂに形成された凸部２２ｃが樋状支持部２１ｃの折曲片２１２ｃに当接する。
【００２２】
しかして、蓋体２２の側片２２ｂに形成された凸部２２ｃの先端部が、器具本体２の両側壁２１ｂ，２１ｂに設けられた折曲片２１２ｃに当接し、両樋状支持部２１ｃ，２１ｃを互いに近づく方向へ押圧するので、器具本体２の両側壁２１ｂ，２１ｂが互いに近づく方向へ付勢され、両側壁２１ｂ，２１ｂ間の間隔が長手方向の中央部において長手方向の両端部に比べて広がるのを抑制することができる。また、従来例のように固定金具等の別部材を必要としないので、部品点数を増やす必要がなく、コストが上昇するのを防ぐことができる。
【００２３】
ところで、器具本体２の両側壁２１ｂ，２１ｂ間の間隔が長手方向の中央部において長手方向の両端部に比べて広がるのを抑制するために、器具本体２と蓋体２２とをねじで固定する方法もあるが、この場合、少なくとも器具本体２の長手方向の両端と中央部の３箇所をねじ締め付けにより固定する必要があり、照明器具１のメンテナンス等で蓋体２２を開ける際の作業性が悪化することがあった。
【００２４】
これに対して、本実施形態の照明器具１では、器具本体２と蓋体２２とをねじで締め付け固定する必要がないため、上述のように、照明器具１のメンテナンス等で蓋体２２を開ける際の作業性の悪化を防止することができる。
【図面の簡単な説明】
【００２５】
【図１】本実施形態の照明器具の器具本体を示す分解斜視図である。
【図２】同上の照明器具の斜め上方から見た斜視図である。
【図３】同上の照明器具の要部分解斜視図である。
【図４】同上の照明器具の斜め下方から見た斜視図である。
【図５】同上の照明器具を示し、（ａ）は上面図、（ｂ）は蓋体を外した状態の上面図である。
【図６】同上の照明器具の器具本体を分解した状態を示し、（ａ）は側断面図、（ｂ）は断面斜視図である。
【図７】同上の照明器具の要部断面図である。
【図８】従来例の照明器具の斜視図である。
【図９】他の従来例を示し、（ａ）は斜視図、（ｂ）は要部断面図である。
【符号の説明】
【００２６】
１  照明器具
２  器具本体
３  支持腕部
４  セード
５  蛍光ランプ
６  反射板
２１ｂ  側壁
２１ｃ  樋状支持部
２２  蓋体
２２ｂ  側片
２２ｃ  凸部
２１１ｃ  主片
２１２ｃ  折曲片
【図１】
0004971950.tif 000002
【図２】
0004971950.tif 000003
【図３】
0004971950.tif 000004
【図４】
0004971950.tif 000005
【図５】
0004971950.tif 000006
【図６】
0004971950.tif 000007
【図７】
0004971950.tif 000008
【図８】
0004971950.tif 000009
【図９】
0004971950.tif 000010